【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
複数の測距エリアに対応する範囲の輝度の検出が可能な複数の測光エリアをもつ測光手段を有する光学装置において、
前記複数の測距エリアのうちの所定の測距エリアにて測距情報が得られず、かつ、該所定の測距エリアに隣接する測距エリアにて測距情報が得られている場合は、前記所定の測距エリアに対応する測光エリアを被写体の存在するエリアと判定することを特徴とする光学装置。
【請求項２】
複数の測距エリアに対応する範囲の輝度の検出が可能な複数の測光エリアをもつ測光手段を有する光学装置において、
前記複数の測距エリアのうちの所定の測距エリアにて測距情報が得られない場合、該所定の測距エリアに隣接する測距エリアにて測距情報が得られているかを調べ、得られている場合は、前記所定の測距エリアに対応する測光エリアを逆光検出用の測光エリアとし、該測光エリアからの情報をもとに、測定対象が逆光状態であるか否かを判定する判定手段を有することを特徴とする光学装置。
【請求項３】
複数の測距エリアをもつ多点測距手段と、前記複数の測距エリアに対応する範囲の輝度の検出が可能な複数の測光エリアをもつ測光手段とを有する光学装置において、
前記複数の測距エリアのうちの測距情報が得られた測距エリアを選択する選択手段と、前記複数の測距エリアのうちの所定の測距エリアにて測距情報が得られず、該所定の測距エリアに隣接する測距エリアにて測距情報が得られたとして、前記選択手段により該隣接する測距エリアが選択されている場合は、前記所定の測距エリアに対応する測光エリアを逆光検出用の測光エリアとし、該測光エリアからの情報をもとに、測定対象が逆光状態であるか否かを判定する判定手段とを有することを特徴とする光学装置。
【請求項４】
前記所定の測距エリア及び前記隣接する測距エリアは、画面の中央部に配置されることを特徴とする請求項１〜３の何れかに記載の光学装置。
【請求項５】
前記隣接する測距エリアは、前記所定の測距エリアを挟んでその両側に隣接して配置されることを特徴とする請求項４に記載の光学装置。
【請求項６】
画面の中央部に少なくとも三つの測距エリアをもつと共に、画面の周辺部に複数の測距エリアをもつ多点測距手段と、前記各測距エリアに対応する範囲の輝度の検出が可能な複数の測光エリアをもつ測光手段とを有する光学装置において、
前記各測距エリアのうちの測距情報が得られた測距エリアを選択する選択手段と、前記画面の中央部の少なくとも三つの測距エリアのうちの中央の測距エリアにて測距情報が得られず、該中央の測距エリアを挟んで隣接して配置される測距エリアにて測距情報が得られたとして、前記選択手段により該隣接して配置される測距エリアが選択されている場合は、前記中央の測距エリアに対応する測光エリアを逆光検出用の測光エリアとし、該測光エリアからの情報をもとに、測定対象が逆光状態であるか否かを判定する判定手段とを有することを特徴とする光学装置。
【請求項７】
前記選択手段により、前記中央の測距エリアにて測距情報が得られず、前記隣接して配置される測距エリアにて測距情報が得られたとして、該隣接して配置される測距エリアが選択されている場合、該隣接して配置される測距エリアからの測距情報をもとに合焦用データを算出することを特徴とする請求項６に記載の光学装置。
【請求項８】
前記選択手段により、前記画面の中央部の少なくとも三つの測距エリアの何れにても測距情報を得られず、前記画面の周辺部の複数の測距エリアの少なくとも一つで測距情報が得られたとして、該周辺部の複数の測距エリアが選択されている場合、得られた該測距情報をもとに合焦用データを算出し、
前記判定手段は、前記選択手段により選択された測距エリアに対応する測光エリアを逆光検出用の測光エリアとし、該測光エリアからの情報をもとに、測定対象が逆光状態であるか否かを判定することを特徴とする請求項６又は７に記載の光学装置。
【請求項９】
前記判定手段は、逆光検出用の測光エリアからの情報とそれ以外の測光エリアからの情報の平均値とを比較し、その差が所定値以上であれば測定対象が逆光状態であると判定することを特徴とする請求項２〜８の何れかに記載の光学装置。
【請求項１０】
請求項１〜９の何れかの光学装置を具備したことを特徴とするカメラ。
【手続補正２】
【補正対象書類名】明細書
【補正対象項目名】０００１
【補正方法】変更
【補正の内容】
【０００１】
【発明の属する技術分野】本発明は、画面の複数の測距エリアに対応する範囲の輝度の検出が可能な複数の測光エリアを持つ測光手段を有する光学装置、光学装置を具備したカメラ、及び静止画撮影機能付きのビデオカメラの改良に関するものである。
【手続補正３】
【補正対象書類名】明細書
【補正対象項目名】００１３
【補正方法】変更
【補正の内容】
【００１３】
（発明の目的）本発明の目的は、測距結果が得られていない測距エリアに主被写体が存在するような場合でも、主被写体を含むシーンに対して好適な逆光判定を行うことのできる光学装置、カメラ及び静止画撮影機能付きビデオカメラを提供しようとするものである。
【手続補正４】
【補正対象書類名】明細書
【補正対象項目名】００１４
【補正方法】変更
【補正の内容】
【００１４】
【課題を解決するための手段】上記目的を達成するために、請求項１に記載の発明は、複数の測距エリアに対応する範囲の輝度の検出が可能な複数の測光エリアをもつ測光手段を有する光学装置において、前記複数の測距エリアのうちの所定の測距エリアにて測距情報が得られず、かつ、該所定の測距エリアに隣接する測距エリアにて測距情報が得られている場合は、前記所定の測距エリアに対応する測光エリアを被写体の存在するエリアと判定する光学装置とするものである。
同じく上記目的を達成するために、請求項２に記載の発明は、複数の測距エリアに対応する範囲の輝度の検出が可能な複数の測光エリアをもつ測光手段を有する光学装置において、前記複数の測距エリアのうちの所定の測距エリアにて測距情報が得られない場合、該所定の測距エリアに隣接する測距エリアにて測距情報が得られているかを調べ、得られている場合は、前記所定の測距エリアに対応する測光エリアを逆光検出用の測光エリアとし、該測光エリアからの情報をもとに、測定対象が逆光状態であるか否かを判定する判定手段を有する光学装置とするものである。
【手続補正５】
【補正対象書類名】明細書
【補正対象項目名】００１５
【補正方法】変更
【補正の内容】
【００１５】
同じく上記目的を達成するために、請求項３に記載の発明は、複数の測距エリアをもつ多点測距手段と、前記複数の測距エリアに対応する範囲の輝度の検出が可能な複数の測光エリアをもつ測光手段とを有する光学装置において、前記複数の測距エリアのうちの測距情報が得られた測距エリアを選択する選択手段と、前記複数の測距エリアのうちの所定の測距エリアにて測距情報が得られず、該所定の測距エリアに隣接する測距エリアにて測距情報が得られたとして、前記選択手段により該隣接する測距エリアが選択されている場合は、前記所定の測距エリアに対応する測光エリアを逆光検出用の測光エリアとし、該測光エリアからの情報をもとに、測定対象が逆光状態であるか否かを判定する判定手段とを有する光学装置とするものである。
【手続補正６】
【補正対象書類名】明細書
【補正対象項目名】００１６
【補正方法】変更
【補正の内容】
【００１６】
同じく上記目的を達成するために、請求項６に記載の発明は、画面の中央部に少なくとも三つの測距エリアをもつと共に、画面の周辺部に複数の測距エリアをもつ多点測距手段と、前記各測距エリアに対応する範囲の輝度の検出が可能な複数の測光エリアをもつ測光手段とを有する光学装置において、前記各測距エリアのうちの測距情報が得られた測距エリアを選択する選択手段と、前記画面の中央部の少なくとも三つの測距エリアのうちの中央の測距エリアにて測距情報が得られず、該中央の測距エリアを挟んで隣接して配置される測距エリアにて測距情報が得られたとして、前記選択手段により該隣接して配置される測距エリアが選択されている場合は、前記中央の測距エリアに対応する測光エリアを逆光検出用の測光エリアとし、該測光エリアからの情報をもとに、測定対象が逆光状態であるか否かを判定する判定手段とを有する光学装置とするものである。
【手続補正７】
【補正対象書類名】明細書
【補正対象項目名】００１７
【補正方法】変更
【補正の内容】
【００１７】
同じく上記目的を達成するために、請求項１０に記載の発明は、請求項１〜９の何れかの光学装置を具備したカメラとするものである。
【手続補正８】
【補正対象書類名】明細書
【補正対象項目名】００２２
【補正方法】変更
【補正の内容】
【００２２】
４はシャッター開閉の制御を行うシャッター制御部、５は撮影準備動作及び撮影動作を開始させるための不図示のレリーズスイッチの第１ストロークでＯＮするスイッチＳＷ１及び第２ストロークでＯＮするレリーズスイッチＳＷ２や各撮影モード等を設定するためのスイッチを含むＳＷ入力部である。６は電源電圧を所定電圧に変換し、各回路に電源供給するＤＣ／ＤＣ部である。７はストロボ部であり、不図示のメインコンデンサへと充電を行い、発光を行う公知の回路からなる。８はマイコン1 へクロックを供給するための発振部である。９は電池残量表示や各種の撮影情報の表示、警告等を行う液晶等からなる表示部である。１０は不図示のフィルムの巻き上げ、巻き戻し等を行うための給送モータおよび鏡筒駆動用モータの制御を行うモータ制御部である。
【手続補正９】
【補正対象書類名】明細書
【補正対象項目名】００４５
【補正方法】変更
【補正の内容】
【００４５】
ステップＳ２１６へ進むと、全測距エリアがＮＧであるので、合焦用データとして無限遠を設定し、次のステップＳ２１７にて、測距エリアに対応する測光エリアの中から最も低い値を示すエリアを逆光検出用として選択して、前述のステップＳ２０８以降の処理へと進む。なお、本実施の形態においては、最も低い値を示すエリアを逆光検出用のエリアとして選択を行っているが、これに限られるものではなく、測距エリアのうちで信頼性のデータが最も高い値を示す測距エリアに対応する測光エリアを選択してもよいし、所定アルゴリズムによって選択するようにしてもよい。
【手続補正１０】
【補正対象書類名】明細書
【補正対象項目名】００４８
【補正方法】変更
【補正の内容】
【００４８】
また、上記ステップＳ２０５にて中央部の測距エリアＦ１２が測距ＮＧであった場合は前述したようにステップＳ２１８へ進み、ここでは上記ステップＳ２１１と同様に、測距エリアＦ１１，Ｆ１３の信号増幅とその出力の取り込みおよびＡ／Ｄ変換を行う。次のステップＳ２１９では、上記ステップＳ２１２と同様に位相差検出を行い、各測距エリアでの距離情報を得る。そして、次のステップＳ２２０にて、Ｆ１１，Ｆ１３の各測距エリアで位相差を検出できなかったか否かの判定を行う。ここで、何れからも位相差が検出されていなければ中央部の測距エリアは全て測距ＮＧとなることから、合焦用データを周辺部（端部）の測距エリアＦ１０またはＦ１４から選択するステップＳ２２３へ進んで、近距離を示す測距エリアを選択し、該測距エリアからの距離情報を合焦データとして選択し、次のステップＳ２２４にて、その選択されたエリアに対応する測光エリアを、逆光検出用の測光エリアとし、前述のステップＳ２０８以降への処理へと進む。
【手続補正１１】
【補正対象書類名】明細書
【補正対象項目名】００５５
【補正方法】変更
【補正の内容】
【００５５】
【発明の効果】以上説明したように、本発明によれば、測距結果が得られていない測距エリアに主被写体が存在するような場合でも、主被写体を含むシーンを正確に検出することができる。またその結果、主被写体を含むシーンに対して好適な逆光判定を行うことができる。